(57)【特許請求の範囲】
【請求項１】
建造物の昇降路内を昇降自在に設けられた乗りかごにテールコードを取り付けるエレベータのテールコードの取付構造において、前記テールコードの一端部を前記乗りかごに取り付ける取付変更部を備え、前記取付変更部は、前記一端部を水平方向に移動自在に支持する水平支持部と、前記水平支持部に連なるとともに前記水平支持部よりも、前記昇降路の前記乗りかごとの間に前記テールコードを位置付ける内壁面から離れた側に配置され前記水平支持部から離れるのにしたがって徐々に上方に向かう方向に前記一端部を移動自在に支持する第１傾斜支持部と、前記水平支持部に連なるとともに前記水平支持部よりも前記内壁面寄りに配置され前記水平支持部から離れるのにしたがって徐々に上方に向かう方向に前記一端部を移動自在に支持する第２傾斜支持部と、を含み、前記一端部を前記テールコードの剛性に基づく曲率半径に対応する付勢力によって前記水平支持部から前記第１傾斜支持部または前記第２傾斜支持部に移動させた後に停止させて前記テールコードの湾曲部分以外の部分の姿勢を鉛直姿勢に調整するエレベータのテールコードの取付構造。
【発明の詳細な説明】
【技術分野】
【０００１】
本発明の実施形態は、エレベータのテールコードの取付構造に関する。
【背景技術】
【０００２】
従来、エレベータは、昇降路内を昇降体としての乗りかごが移動することにより、乗りかごを任意の階床に移動させる。乗りかごには、昇降路や機械室に設けられた制御盤に接続したテールコードの一端部が取り付けられる。
【先行技術文献】
【特許文献】
【０００３】
【特許文献１】特開２０１２−５１７１２号公報
【特許文献２】特開２００６−８２９７０号公報
【発明の概要】
【発明が解決しようとする課題】
【０００４】
ところで、従来技術においては、テールコードが乗りかごと制御盤とを接続しているために、テールコードが昇降路の内壁面に接触しないことが望まれている。
【０００５】
したがって、本発明が解決しようとする課題は、乗りかごに一端部が取り付けられたテールコードが昇降路の内壁面に接触することを抑制することができるエレベータのテールコードの取付構造を提供することにある。
【課題を解決するための手段】
【０００６】
実施形態のエレベータのテールコードの取付構造は、建造物の昇降路内を昇降自在に設けられた乗りかごにテールコードを取り付けるものである。テールコードの取付構造は、取付変更部を備える。取付変更部は、テールコードの一端部を乗りかごに取り付ける。取付変更部は、水平支持部と第１傾斜支持部と第２傾斜支持部を含む。水平支持部は、一端部を水平方向に移動自在に支持する。第１傾斜支持部は、水平支持部に連なるとともに水平支持部よりも、昇降路の乗りかごとの間にテールコードを位置付ける内壁面から離れた側に配置され水平支持部から離れるのにしたがって徐々に上方に向かう方向に一端部を移動自在に支持する。第２傾斜支持部は、水平支持部に連なるとともに水平支持部よりも内壁面寄りに配置され水平支持部から離れるのにしたがって徐々に上方に向かう方向に一端部を移動自在に支持する。取付変更部は、一端部をテールコードの剛性に基づく曲率半径に対応する付勢力によって水平支持部から第１傾斜支持部または第２傾斜支持部に移動させた後に停止させてテールコードの湾曲部分以外の部分の姿勢を鉛直姿勢に調整する。
【図面の簡単な説明】
【０００７】
【図１】図１は、実施形態に係るエレベータのテールコードの取付構造を有するエレベータの全体の構成を模式的に示す説明図である。
【図２】図２は、実施形態に係るエレベータのテールコードの取付構造の正面図である。
【図３】図３は、図２に示されたエレベータのテールコードの取付構造のテールコードハンガーとテールコードの一端部の側面図である。
【図４】図４は、図２に示されたテールコードの一端部が水平支持部に位置する状態の取付構造などを説明する正面図である。
【図５】図５は、図２に示されたテールコードの一端部が第１傾斜支持部に位置する状態の取付構造などを説明する正面図である。
【図６】図６は、図２に示されたテールコードの一端部が第２傾斜支持部に位置する状態の取付構造などを説明する正面図である。
【発明を実施するための形態】
【０００８】
［実施形態］
本発明の実施形態に係るエレベータのテールコードの取付構造を図面に基いて説明する。図１は、実施形態に係るエレベータのテールコードの取付構造を有するエレベータの全体の構成を模式的に示す説明図、図２は、実施形態に係るエレベータのテールコードの取付構造の正面図、図３は、図２に示されたエレベータのテールコードの取付構造のテールコードハンガーとテールコードの一端部の側面図、図４は、図２に示されたテールコードの一端部が水平支持部に位置する状態の取付構造などを説明する正面図、図５は、図２に示されたテールコードの一端部が第１傾斜支持部に位置する状態の取付構造などを説明する正面図、図６は、図２に示されたテールコードの一端部が第２傾斜支持部に位置する状態の取付構造などを説明する正面図である。
【０００９】
実施形態に係るエレベータのテールコードの取付構造１（図２などに示し、以下、単に取付構造と記す）は、図１に示されたエレベータ１０１に適用される。エレベータ１０１は、建造物の昇降路１００内に設置されて、乗りかご１０２内の行先階登録装置（図示せず）の操作による行先階登録及び各階床１１０に設けられた呼び登録装置（図示せず）の操作による呼び登録に基づいて乗客などを建造物の所望の階床１１０に運搬する。
【００１０】
エレベータ１０１は、図１に示すように、乗りかご１０２と、カウンタウェイト１０３と、駆動機構１０４と、制御盤１０６と、取付構造１などを備えている。
【００１１】
乗りかご１０２は、図示しないかご用ガイドレールにより、昇降路１００内を鉛直方向に昇降自在に支持されている。乗りかご１０２は、乗客を収容するかご室１０２ａを備えている。かご室１０２ａは、箱状に形成されて、内側に乗客などを収容可能である。かご室１０２ａには、かご室１０２ａの出入口１０２ｂを開閉するかご側ドア１０２ｃが一以上設けられている。
【００１２】
カウンタウェイト１０３は、図示しないウェイト用ガイドレールにより、鉛直方向に移動自在に支持されている。また、乗りかご１０２には、メインロープ１０５の一端部が取り付けられ、カウンタウェイト１０３には、メインロープ１０５の他端部が取り付けられている。メインロープ１０５は、駆動機構１０４の駆動シーブ１０４ａに掛渡されて、乗りかご１０２とカウンタウェイト１０３とが互いに上下反対方向に昇降するように設けられている。即ち、エレベータ１０１は、所謂、釣瓶式のエレベータとなっている。このように、メインロープ１０５は、駆動機構１０４の巻き上げ機により移動されることで、乗りかご１０２とカウンタウェイト１０３とを釣瓶式に昇降させる。
【００１３】
駆動機構１０４は、図１に示すように、例えば、昇降路１００の上部に設けられた機械室又は昇降路１００内の上部などに設けられ、周知の巻き上げ機と、メインロープ１０５が掛け渡されて巻き上げ機により回転駆動される駆動シーブ１０４ａなどを備えている。駆動機構１０４は、巻き上げ機が駆動シーブ１０４ａを回転駆動することにより、メインロープ１０５を昇降路１００内で移動させて、乗りかご１０２とカウンタウェイト１０３を昇降させる。
【００１４】
制御盤１０６は、例えば、昇降路１００内などに設けられる機器であって、図示しないＲＡＭ、ＲＯＭ、ＣＰＵ、入出力ポート及び記憶装置を備えた演算装置である。制御盤１０６は、乗りかご１０２内の行先階登録装置や、各階床１１０に設けられた呼び登録装置、駆動機構１０４などに接続して、エレベータ１０１全体の運転制御を行う。制御盤１０６は、テールコード１０７などを介して乗りかご１０２内の行先階登録装置に接続している。テールコード１０７は、例えば、信号や電力を供給するための複数の配線と、これら複数の配線をひとまとめに内包する被覆材とを備えて、平坦な断面矩形状の帯状に形成されている。テールコード１０７は、一端部１０７ａが乗りかご１０２の底面などに取り付けられ、他端部１０７ｂが制御盤１０６に取り付けられて、昇降路１００内で側方からみて中央部がＵ字状に湾曲している。テールコード１０７は、乗りかご１０２が昇降すると、中央部が繰り返し曲げたり伸ばされたりする。
【００１５】
テールコード１０７の複数の配線は、テールコード１０７の一端部１０７ａにおいて乗りかご１０２内の行先階登録装置などに接続している。テールコード１０７の被覆材は、温度変化などによりその曲げにくさ（剛性）が変化する。
【００１６】
取付構造１は、テールコード１０７の一端部１０７ａを乗りかご１０２の底面に取り付けるための構造である。取付構造１は、図２に示すように、テールコードハンガー１０と、テールコードヒッチ２０などを備えている。テールコードハンガー１０は、例えば、直径が５０ｍｍの金属で構成された丸棒をロの字状に形成されて得られる。テールコードハンガー１０は、図３に示すように、水平方向と平行でかつ下方に位置する下方水平部１１と、水平方向と平行でかつ下方水平部１１よりも上方に位置する上方水平部１２と、下方水平部１１と上方水平部１２とを連結する鉛直連結部１３とを備える。本実施形態では、上方水平部１２は、中央で二つに分割されている。
【００１７】
テールコードハンガー１０は、下方水平部１１にテールコード１０７の一端部１０７ａが二つ折りに巻きつけられる。テールコードハンガー１０は、テールコード１０７の一端部１０７ａの互いに重なる部分同士が固定金具３０により固定されて、テールコード１０７の一端部１０７ａが取り付けられる。テールコードハンガー１０は、縦が５００ｍｍ、幅が５００ｍｍに形成される。
【００１８】
テールコードヒッチ２０は、乗りかご１０２の底面に取り付けられて、乗りかご１０２の出入口１０２ｂの正面から見て横長の長方形の箱型に形成されている。テールコードヒッチ２０は、例えば、乗りかご１０２の正面からみて幅が１０００ｍｍ、奥行きが５００ｍｍ、高さが３００ｍｍ程度に形成されている。テールコードヒッチ２０は、テールコード１０７の乗りかご１０２に取り付けられる一端部１０７ａの昇降路１００の内壁面１００ａとの距離を変更可能に一端部１０７ａを乗りかご１０２に取り付ける取付変更部２１を備える。即ち、取付変更部２１は、昇降路１００の内壁面１００ａとテールコード１０７の一端部１０７ａとの水平方向の距離を変更可能にする。なお、本発明でいう内壁面１００ａとは、昇降路１００を形成する内壁面１００ａのうちの、テールコード１０７の制御盤１０６に接続した他端部１０７ｂに最も近い内壁面１００ａをいい、乗りかご１０２との間にテールコード１０７を位置付ける内壁面１００ａをいう。
【００１９】
取付変更部２１は、テールコードヒッチ２０の表面から凹でかつテールコードハンガー１０の上方水平部１２を内側に通す溝に形成されている。取付変更部２１は、図２に示すように、水平支持部２１ａと、第１傾斜支持部２１ｂ（傾斜支持部に相当）と、第２傾斜支持部２１ｃ（傾斜支持部に相当）とを備えている。
【００２０】
水平支持部２１ａは、水平方向と平行に延びている。水平支持部２１ａは、テールコードハンガー１０の上方水平部１２を内側に通して、上方水平部１２を水平方向に移動自在に支持する。即ち、水平支持部２１ａは、テールコード１０７の一端部１０７ａを水平方向に移動自在に支持して、一端部１０７ａの昇降路１００の内壁面１００ａとの距離を変更可能にする。
【００２１】
傾斜支持部２１ｂ，２１ｃは、水平支持部２１ａの端部に連なり、かつ水平支持部２１ａから離れるのにしたがって徐々に上方に向かう方向に水平方向及び鉛直方向に対して傾斜している。傾斜支持部２１ｂ，２１ｃは、テールコードハンガー１０の上方水平部１２を内側に通して、上方水平部１２を移動自在に支持する。即ち、傾斜支持部２１ｂ，２１ｃは、テールコード１０７の一端部１０７ａを水平支持部２１ａから離れるのにしたがって徐々に上方に向かう方向に移動自在に支持する。第１傾斜支持部２１ｂは、水平支持部２１ａよりも内壁面１００ａから離れた側に配置されている。第２傾斜支持部２１ｃは、水平支持部２１ａよりも内壁面１００ａ寄りに配置されている。なお、第１傾斜支持部２１ｂの水平方向とのなす角度βと、第２傾斜支持部２１ｃの水平方向とのなす角度αは、温度変化によるテールコード１０７の剛性の変化の度合いにより定められる。
【００２２】
エレベータ１０１では、乗りかご１０２の停止時には、図４に示すように、テールコードハンガー１０即ちテールコード１０７の一端部１０７ａが取付変更部２１の水平支持部２１ａ内に位置する。そして、エレベータ１０１は、乗りかご１０２が昇降する際に、温度が低いと、テールコード１０７の剛性が高くなる。この場合、図５に実線で示すように、図４に示す場合よりもテールコード１０７の中央部の曲率半径が大きくなる。すると、図５に二点鎖線で示すようにテールコード１０７が内壁面１００ａに近付くことなく、図５に実線で示すように、テールコードハンガー１０即ちテールコード１０７の一端部１０７ａが取付変更部２１の第１傾斜支持部２１ｂ内に位置して、中央部の湾曲する部分を除いて、テールコード１０７が内壁面１００ａと平行になる。
【００２３】
また、エレベータ１０１は、乗りかご１０２が昇降する際に、温度が高いと、テールコード１０７の剛性が低くなる。この場合では、図６に実線で示すように、図６に二点鎖線で示す場合よりもテールコード１０７の中央部の曲率半径が小さくなる。すると、図６に実線で示すように、テールコードハンガー１０即ちテールコード１０７の一端部１０７ａが取付変更部２１の第２傾斜支持部２１ｃ内に位置して、中央部の湾曲する部分を除いて、テールコード１０７が内壁面１００ａと平行になる。
【００２４】
また、エレベータ１０１は、昇降中の乗りかご１０２が停止しようとすると、テールコード１０７の一端部１０７ａが乗りかご１０２に近付こうとして、テールコード１０７の中央部の曲率半径が大きくなろうとする。そして、図５に実線で示すように、テールコードハンガー１０即ちテールコード１０７の一端部１０７ａが取付変更部２１の第１傾斜支持部２１ｂ内に位置する。
【００２５】
また、エレベータ１０１は、乗りかご１０２が停止すると、傾斜支持部２１ｂ，２１ｃが前述したように傾斜しているので、テールコードハンガー１０即ちテールコード１０７の一端部１０７ａが取付変更部２１の水平支持部２１ａ内に位置する。
【００２６】
実施形態に係る取付構造１によれば、テールコード１０７の一端部１０７ａの内壁面１００ａとの距離を変更可能とする取付変更部２１を備えているので、温度条件が変化して、テールコード１０７の剛性が変化すると、一端部１０７ａの内壁面１００ａとの距離を変更することができる。そして、取付構造１は、テールコード１０７の中央部の曲率半径を変更することができる。このために、取付構造１は、温度が変化しても、テールコード１０７を内壁面１００ａと極力平行にすることができ、乗りかご１０２の昇降時にテールコード１０７が昇降路１００の内壁面１００ａに接触することを抑制できる。したがって、取付構造１は、乗りかご１０２の昇降時の異音や振動の発生を抑制することができる。
【００２７】
また、取付構造１によれば、取付変更部２１がテールコード１０７の一端部１０７ａを水平方向に移動自在に支持する水平支持部２１ａを備えているので、テールコード１０７の剛性が変化しても、テールコード１０７の一端部１０７ａの内壁面１００ａとの距離をスムーズに変更できる。そして、取付構造１は、テールコード１０７の中央部の曲率半径をスムーズに変更することができる。したがって、取付構造１は、乗りかご１０２の昇降時にテールコード１０７が昇降路１００の内壁面１００ａに接触することを確実に抑制できる。
【００２８】
さらに、取付構造１によれば、取付変更部２１が水平支持部２１ａの端部に連なる傾斜支持部２１ｂ，２１ｃを備えているので、テールコード１０７の一端部１０７ａが傾斜支持部２１ｂ，２１ｃに支持されても、その自重により水平支持部２１ａに向かって付勢されることとなる。取付構造１は、傾斜支持部として、水平支持部２１ａの内壁面１００ａから離れた側に連なる第１傾斜支持部２１ｂと、内壁面１００ａ寄りに連なる第２傾斜支持部２１ｃを備えている。このために、取付構造１は、テールコード１０７の剛性が高い状態から低い状態、又は、低い状態から高い状態に変化しても、テールコード１０７の一端部１０７ａを速やかに水平支持部２１ａに戻すことができる。よって、取付構造１は、テールコード１０７の剛性が変化しても、テールコード１０７の中央部の曲率半径をスムーズに変更することができる。
【００２９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３０】
１  テールコードの取付構造
２１  取付変更部
２１ａ  水平支持部
２１ｂ  第１傾斜支持部（傾斜支持部）
２１ｃ  第２傾斜支持部（傾斜支持部）
１００  昇降路
１００ａ  内壁面
１０１  エレベータ
１０２  乗りかご
１０７  テールコード
１０７ａ  一端部
【図１】
0005996593.tif 000002
【図２】
0005996593.tif 000003
【図３】
0005996593.tif 000004
【図４】
0005996593.tif 000005
【図５】
0005996593.tif 000006
【図６】
0005996593.tif 000007